(57)【特許請求の範囲】
【請求項１】
光源と、
前記光源の光出射方向とは反対側に配置されたスピーカユニットと、
前記光源及び前記スピーカユニットを収納する器具本体とを備え、
前記器具本体は、
前記光源を内部に支持する有底筒状の第１筐体部と、
前記第１筐体部を内部に収納する筒状の第２筐体部と、
前記スピーカユニットを収納するエンクロージャー部とを有し、
前記エンクロージャー部は、前記第２筐体部の軸方向に見た場合に、前記第２筐体部の側方に張り出している
照明器具。
【請求項２】
前記エンクロージャー部は、前記第２筐体部の軸方向に見た場合に、前記第２筐体部の側方の一方向のみに張り出している
請求項１に記載の照明器具。
【請求項３】
前記エンクロージャー部は、前記スピーカユニットが前記第１筐体部の底部に向けて音を出すように前記第２筐体部に固定されている
請求項１又は２に記載の照明器具。
【請求項４】
前記エンクロージャー部の容積は、２５０ｃｃ以上である
請求項１〜３のいずれか１項に記載の照明器具。
【請求項５】
前記エンクロージャー部は、金属材料又は樹脂材料を用いて形成されている
請求項１〜４のいずれか１項に記載の照明器具。
【請求項６】
前記光源の光出射方向、前記スピーカユニットの出音方向、前記第１筐体部の軸方向、及び、前記第２筐体部の軸方向は、略一致している
請求項１〜５のいずれか１項に記載の照明器具。
【請求項７】
前記照明器具は、天井埋込み型照明器具である
請求項１〜６のいずれか１項に記載の照明器具。
【発明の詳細な説明】
【技術分野】
【０００１】
本発明は、スピーカユニットを備える照明器具に関する。
【背景技術】
【０００２】
従来、スピーカと一体化されたダウンライトが知られている（例えば、特許文献１）。特許文献１には、スピーカユニットの前方に光源が取り付けられた照明器具付きスピーカが開示されている。
【先行技術文献】
【特許文献】
【０００３】
【特許文献１】国際公開第２０１０／０７１１０２号
【発明の概要】
【発明が解決しようとする課題】
【０００４】
しかしながら、上記従来の照明器具付きスピーカでは、スピーカユニットの前方に光源が取り付けられているので、スピーカからの音が光源によって遮られ、音質が悪くなる。
【０００５】
そこで、本発明は、音質に優れた照明器具を提供することを目的とする。
【課題を解決するための手段】
【０００６】
上記目的を達成するため、本発明の一態様に係る照明器具は、光源と、前記光源の光出射方向とは反対側に配置されたスピーカユニットと、前記光源及び前記スピーカユニットを収納する器具本体とを備え、前記器具本体は、前記光源を内部に支持する有底筒状の第１筐体部と、前記第１筐体部を内部に収納する筒状の第２筐体部と、前記スピーカユニットを収納するエンクロージャー部とを有し、前記エンクロージャー部は、前記第２筐体部の軸方向に見た場合に、前記第２筐体部の側方に張り出している。
【発明の効果】
【０００７】
本発明によれば、音質に優れた照明器具を提供することができる。
【図面の簡単な説明】
【０００８】
【図１】実施の形態に係る照明器具の斜視図である。
【図２】実施の形態に係る照明器具の下面図である。
【図３】実施の形態に係る照明器具の分解斜視図である。
【図４】実施の形態に係る照明器具の断面斜視図である。
【図５】図２のＶ−Ｖ線における実施の形態に係る照明器具の断面図である。
【図６】図５のＶＩ−ＶＩ線における実施の形態に係る照明器具の断面図である。
【図７】実施の形態に係る照明器具の照明ユニットなどの分解斜視図である。
【図８】実施の形態に係る照明器具のエンクロージャー部などの分解斜視図である。
【図９】実施の形態に係る照明器具のエンクロージャー部の容積と出力音圧レベル及びインピーダンスとの関係を示す図である。
【発明を実施するための形態】
【０００９】
以下では、本発明の実施の形態に係る照明器具について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態、ステップ、ステップの順序などは、一例であり、本発明を限定する趣旨ではない。よって、以下の実施の形態における構成要素のうち、本発明の最上位概念を示す独立請求項に記載されていない構成要素については、任意の構成要素として説明される。
【００１０】
また、各図は、模式図であり、必ずしも厳密に図示されたものではない。したがって、例えば、各図において縮尺などは必ずしも一致しない。また、各図において、実質的に同一の構成については同一の符号を付しており、重複する説明は省略又は簡略化する。
【００１１】
（実施の形態）
［照明器具］
まず、本実施の形態に係る照明器具の概要について、図１〜図６を用いて説明する。
【００１２】
図１は、本実施の形態に係る照明器具１の斜視図である。図２は、本実施の形態に係る照明器具１の下面図である。図３は、本実施の形態に係る照明器具１の分解斜視図である。図４は、本実施の形態に係る照明器具１の断面斜視図である。図５は、本実施の形態に係る照明器具１の断面図である。図４及び図５は、図２のＶ−Ｖ線における断面（ｙｚ断面）を示している。図６は、本実施の形態に係る照明器具１の断面図であり、図５のＶＩ−ＶＩ線における断面（ｘｙ断面）を示している。なお、図６には、孔部３４の形状を明瞭にするためメッシュ部材４０を図示していない。
【００１３】
各図において、光軸Ｊに平行な方向をｚ軸方向、光軸Ｊに直交し、かつ、互いに直交する２つの方向をｘ軸方向及びｙ軸方向としている。本実施の形態では、ｚ軸方向は、例えば鉛直方向である。ｙ軸方向は、器具本体３０のエンクロージャー部３５が張り出した方向である。なお、本明細書において、照明器具１の光出射方向（具体的には、ｚ軸方向の負側）を「前方」と記載し、その反対側を「後方」と記載する。
【００１４】
照明器具１は、ダウンライトなどの埋込み型照明器具の一例であり、例えば建物の天井などに設けられた取付穴に埋込配設されて下方（床など）に光を照射する。取付穴の径は、例えば１００ｍｍであるが、これに限定されない。なお、図１は、斜め下方から見上げたときの照明器具１を示している。
【００１５】
本実施の形態では、図１及び図２に示すように、照明器具１は、照明ユニット１０と、器具本体３０と、メッシュ部材４０と、取付バネ５０とを備える。さらに、図３〜図５に示すように、照明器具１は、照明ユニット１０の後方に位置するスピーカユニット２０を備える。照明器具１は、照明ユニット１０とスピーカユニット２０とを備えるスピーカ一体型の照明器具である。
【００１６】
以下、照明器具１の各構成部材（部品）について詳細に説明する。なお、一部を除いて詳細な説明を省略するが、照明器具１には、構成部材同士を連結固定するための係止部又はネジなどの固定部材などが適宜設けられている。
【００１７】
［照明ユニット］
照明ユニット１０は、照明器具１の照明機能を担う部分である。本実施の形態では、図７に示すように、照明ユニット１０は、光源１１を備え、鉛直下方（ｚ軸方向の負側）に光を出射する。すなわち、本実施の形態では、光源１１の光出射方向は、ｚ軸方向の負側である。
【００１８】
図７は、本実施の形態に係る照明器具１の部分分解斜視図であり、主に照明ユニット１０を分解して示している。図７に示すように、照明ユニット１０は、光源１１と、放熱部材１２と、反射部材１３と、透光性カバー１４とを備える。
【００１９】
光源１１は、照明器具１における光源の一例であり、白色などの所定の色（波長）の光を発する発光部である。光源１１は、図４及び図５に示すように、器具本体３０の第１筐体部３１の内側底面３１０ａに取り付けられている。光源１１は、粘着性の放熱部材１２を介して内側底面３１０ａに固定されている。
【００２０】
図７に示すように、光源１１は、基板１１０と、複数のＬＥＤ１１１とを備えるＬＥＤモジュールである。光源１１は、ベアチップ（ＬＥＤ１１１）が基板１１０上に直接実装された、いわゆるＣＯＢ（Ｃｈｉｐ  Ｏｎ  Ｂｏａｒｄ）モジュールである。
【００２１】
基板１１０としては、例えば、セラミック基板、樹脂基板又はメタルベース基板などを用いることができる。基板１１０の平面視形状は、例えば矩形であるが、六角形若しくは八角形などの多角形又は円形などでもよい。基板１１０には、金属配線（図示せず）が形成され、複数のＬＥＤ１１１を電気的に接続している。
【００２２】
ＬＥＤ１１１は、発光素子の一例であり、所定の電力により発光する半導体発光素子である。ＬＥＤ１１１は、例えば、単色の可視光を発するベアチップであり、具体的には、通電されれば青色光を発する青色発光ＬＥＤチップである。複数のＬＥＤ１１１は、基板１１０の主面上において、複数列又はマトリクス状に配置されている。
【００２３】
なお、複数のＬＥＤ１１１は、封止部材（図示せず）によって一括封止されている。例えば、複数のＬＥＤ１１１は、素子列毎に一括封止されてもよく、あるいは、基板１１０上の全てのＬＥＤ１１１が一括封止されてもよい。
【００２４】
封止部材は、例えば、シリコーン樹脂などの透光性樹脂材料を主成分として含み、ＬＥＤ１１１からの光の波長を変換する波長変換材を含んでいる。波長変換材は、例えば、蛍光体粒子であり、具体的には、黄色蛍光体粒子である。本実施の形態では、ＬＥＤ１１１が発する青色光と、黄色蛍光体粒子が青色光によって励起されて発する黄色光とが混合されることにより、光源１１は白色光を発する。なお、封止部材には、シリカなど（ＳｉＯ２）の光拡散材（光散乱粒子）を含んでいてもよい。
【００２５】
なお、光源１１は、ＳＭＤ（Ｓｕｒｆａｃｅ  Ｍｏｕｎｔｅｄ  Ｄｅｖｉｃｅ）型のモジュールでもよい。具体的には、基板１１０上にパッケージ型のＬＥＤ素子（ＳＭＤ型ＬＥＤ素子）が実装されていてもよい。パッケージ型のＬＥＤ素子は、例えば、凹部（キャビティ）を有する樹脂製の容器と、凹部の中に実装されたＬＥＤチップ（ＬＥＤ１１１）と、凹部内に封入された封止部材（蛍光体含有樹脂）とを備える。
【００２６】
放熱部材１２は、粘着性の放熱シート、又は、熱伝導性に優れた液状の放熱シリコーンなどである。放熱部材１２は、図４及び図５に示すように、基板１１０と内側底面３１０ａとを接着することで、光源１１を第１筐体部３１に固定する。放熱部材１２は、光源１１が発する熱を第１筐体部３１に伝搬させる。
【００２７】
反射部材１３は、光源１１からの光の配光を制御する部材である。本実施の形態では、反射部材１３は、光源１１からの光を透光性カバー１４に向けて反射させる。反射部材１３は、光軸Ｊが略中央を貫通する開口が設けられた略筒体である。
【００２８】
具体的には、図４及び図５に示すように、反射部材１３は、光源１１からの光が入射される側（ｚ軸方向の正側）の端部１３１から、当該光が出射される側の端部１３２に向かって内径が漸次大きくなるように形成されている。反射部材１３の内面１３３が、光源１１からの光を反射する反射面である。
【００２９】
本実施の形態では、反射部材１３は、ネジ（図示せず）によって第１筐体部３１に固定されている。具体的には、図４及び図６に示すように、第１筐体部３１には、底部３１０を貫通するように設けられたネジ孔３１２が設けられている。底部３１０の後方からネジ（図示せず）がネジ孔３１２に挿入されて、反射部材１３に設けられたネジ穴（図示せず）にねじ込まれて固定されている。このとき、図４及び図５に示すように、反射部材１３の端部１３１が基板１１０を押さえることで、光源１１の落下を防止することができる。
【００３０】
反射部材１３は、例えば、ポリブチレンテレフタレート（ＰＢＴ）などの硬質の白色樹脂材料を用いて形成される。このとき、反射部材１３の内面には、アルミニウムなどの金属反射膜が設けられてもよい。
【００３１】
透光性カバー１４は、反射部材１３からの光が入射される透光性の部材である。図４及び図５に示すように、透光性カバー１４は、反射部材１３の光出射側（ｚ軸方向の負側）の開口を覆うように配置されている。
【００３２】
透光性カバー１４は、透光性を有する材料から形成されている。透光性カバー１４は、アクリル（ＰＭＭＡ）、ポリカーボネート（ＰＣ）などの透明樹脂材料から形成される。あるいは、透光性カバー１４は、透明なガラス材料から形成されてもよい。
【００３３】
透光性カバー１４は、反射部材１３によって支持されている。具体的には、図７に示すように、反射部材１３には２つの爪部１３４が設けられている。透光性カバー１４には、２つの爪部１３４の各々に係止する凹部（図示せず）が設けられている。当該凹部が爪部１３４に係止することで、透光性カバー１４は、反射部材１３に支持されている。
【００３４】
透光性カバー１４は、反射部材１３を通過した光の配光を制御して出射する機能を有してもよい。例えば、透光性カバー１４は、フレネルレンズであってもよい。また、透光性カバー１４は、光拡散（散乱）構造を有してもよい。例えば、透光性カバー１４は、拡散材が分散された樹脂材料を用いて形成されてもよく、あるいは、表面に凹凸又はドットパターンが形成されてもよい。
【００３５】
［スピーカユニット］
スピーカユニット２０は、照明器具１の音響機能を担う部分である。本実施の形態では、スピーカユニット２０は、音楽、音声、警告音などの様々な音を発する。スピーカユニット２０の出音方向は、ｚ軸方向の負側であり、光源１１の光出射方向と略一致している。
【００３６】
本実施の形態では、スピーカユニット２０は、光源１１の光出射方向とは反対側（ｚ軸方向の正側）、すなわち、光源１１の後方に配置されている。スピーカユニット２０が発した音は、器具本体３０の第１筐体部３１と第２筐体部３２との間に設けられた孔部３４（図４及び図６参照）を介してｚ軸方向の負側に放出される。
【００３７】
スピーカユニット２０は、例えば、コーン型のスピーカユニットである。具体的には、図４及び図５に示すように、スピーカユニット２０は、振動板（コーン紙）２１と、ボイスコイル２２と、ダンパー２３と、断面Ｕ字型のヨーク２４と、フレーム２５と、端子２６と、マグネット２７と、プレート２８とを備える。
【００３８】
スピーカユニット２０では、振動板２１が振動することで、前方に音が放出される。振動板２１は、ボイスコイル２２の振動に応じて振動する。図４及び図５に示すように、振動板２１は、エンクロージャー部３５に設けられた開口３５３に露出している。振動板２１が発した音は、開口３５３から前方に放出され、第１筐体部３１と第２筐体部３２との間の孔部３４を通過して、第２筐体部３２の開口３２３から放出される。
【００３９】
ボイスコイル２２は、端子２６が受けた入力オーディオ信号に基づいて振動する。ダンパー２３は、ボイスコイル２２を支持し、かつ、ボイスコイル２２の振動を振動板２１に伝達する。ヨーク２４、マグネット２７及びプレート２８は、スピーカユニット２０の磁気回路の一部であり、端子２６が受けた入力オーディオ信号に基づいてボイスコイル２２を振動させる。
【００４０】
フレーム２５は、スピーカユニット２０をエンクロージャー部３５に取り付けるための枠体である。図４に示すように、フレーム２５は、複数のネジ孔２５１（具体的には、４つ）が設けられている。端子２６には、リード線（図示せず）が接続され、当該リード線を介してスピーカユニット２０の制御回路が接続される。
【００４１】
［器具本体］
器具本体３０は、照明器具１の本体であり、光源１１（照明ユニット１０）及びスピーカユニット２０を収納する。器具本体３０は、図３に示すように、第１筐体部３１と、第２筐体部３２と、複数の接続部３３と、エンクロージャー部３５とを有する。器具本体３０は、さらに、複数の接続部３３の間に設けられた、スピーカユニット２０からの音を通過させるための孔部３４を有する。
【００４２】
本実施の形態では、第１筐体部３１、第２筐体部３２及び複数の接続部３３は、一体に（一部品として）形成されている。例えば、第１筐体部３１、第２筐体部３２及び複数の接続部３３は、アルミダイカスト製であるが、プレス加工などにより形成されてもよい。エンクロージャー部３５は、図３に示すネジ６０によって第２筐体部３２に固定されている。
【００４３】
以下では、器具本体３０の各構成部について詳細に説明する。
【００４４】
［第１筐体部］
第１筐体部３１は、光源１１を内部に支持する有底筒状の筐体部である。本実施の形態では、図４に示すように、第１筐体部３１は、平面視形状が略円形の底部３１０と、平面視における底部３１０の外周端に立設された円筒状の側壁部３１１とを有する。
【００４５】
図４及び図５に示すように、底部３１０は、内側底面３１０ａと、外側底面３１０ｂとを有する。
【００４６】
内側底面３１０ａは、底部３１０のｚ軸方向の負側の面であり、光源１１が取り付けられている。内側底面３１０ａは、光軸Ｊに対して略直交する平面（ｘｙ平面）を含み、照明ユニット１０の反射部材１３の一部が挿入される穴などが設けられている。
【００４７】
外側底面３１０ｂは、底部３１０のｚ軸方向の正側の面であり、スピーカユニット２０に対面している。外側底面３１０ｂとスピーカユニット２０との間には、他の部材が配置されていない空間が設けられている。
【００４８】
外側底面３１０ｂは、スピーカユニット２０の軸（すなわち、光軸Ｊ）に対して対称な形状を有する。具体的には、側面視（図５に相当）において、外側底面３１０ｂは、光軸Ｊに対して線対称な形状を有する。上面視（図６に相当）において、外側底面３１０ｂは、光軸Ｊに対して点対称（又は回転対称）な形状を有する。なお、図６に示すように、底部３１０には光源１１に給電するためのリード線が挿通される挿通孔３１３が設けられている。挿通孔３１３を除いて、外側底面３１０ｂは、光軸Ｊに対して対称な形状を有する。
【００４９】
底部３１０は、図５に示すように、スピーカユニット２０に向かって凸である。つまり、底部３１０の外側底面３１０ｂが、スピーカユニット２０に向かって凸状に形成された面である。
【００５０】
例えば、外側底面３１０ｂは、球体の側面形状を有する。すなわち、外側底面３１０ｂは、球面である。あるいは、外側底面３１０ｂは、楕円球の側面形状を有してもよい。また、外側底面３１０ｂは、凸多面体の側面形状を有してもよい。具体的には、外側底面３１０ｂは、スピーカユニット２０に向かって凸になるように立体的に並べられた複数の平面から構成されてもよい。
【００５１】
本実施の形態では、底部３１０は、高さが幅より短い扁平な凸である。底部３１０の高さは、ｚ軸方向の長さであり、例えば、内側底面３１０ａの光源１１の取付面と外側底面３１０ｂの最もスピーカユニット２０に近い部分との距離で示される。本実施の形態では、外側底面３１０ｂの光軸Ｊ上の部分がスピーカユニット２０に最も近い部分である。つまり、底部３１０の高さは、例えば光軸Ｊ上における内側底面３１０ａから外側底面３１０ｂまでの長さで表される。底部３１０の幅は、例えば、ｘｙ平面における底部３１０の最大幅である。
【００５２】
図６に示すように、底部３１０には、底部３１０を厚み方向（ｚ軸方向）に貫通する２つのネジ孔３１２と挿通孔３１３とが設けられている。２つのネジ孔３１２は、照明ユニット１０の反射部材１３を固定するためのネジ（図示せず）が挿入される孔である。ネジ孔３１２は、ネジ（図示せず）が挿入された後、外側底面３１０ｂが滑らかになるように、樹脂などで充填されてもよい。
【００５３】
側壁部３１１は、光軸Ｊを中心軸とし、光軸Ｊに沿って平行な円筒状の部分である。図６に示すように、側壁部３１１の外側面３１１ａには、複数の接続部３３が接続されている。
【００５４】
本実施の形態では、図５に示すように、第１筐体部３１は、ｚ軸方向において、第２筐体部３２の略中央に位置している。すなわち、第１筐体部３１とスピーカユニット２０との間には、所定幅の空間が設けられ、第１筐体部３１と第２筐体部３２の前方側の開口３２３との間にも、所定幅の空間が設けられている。
【００５５】
［第２筐体部］
第２筐体部３２は、第１筐体部３１を内部に収納する筒状の筐体部である。本実施の形態では、図４〜図６に示すように、第２筐体部３２は、円筒状の側壁部３２１と、側壁部３２１の前方側（ｚ軸方向の負側）の端部に設けられた、平面視形状が略円環形状の鍔部３２２とを有する。
【００５６】
側壁部３２１は、器具本体３０の外郭をなす。図４及び図５に示すように、側壁部３２１の前方側には、照明ユニット１０からの光を出射する開口３２３が設けられている。開口３２３は、略円形の開口であり、略円環形状の鍔部３２２の内周によって形成されている。
【００５７】
図６に示すように、側壁部３２１の内側面３２１ａには、複数の接続部３３が接続されている。側壁部３２１の外側面には、３つの取付バネ５０が固定されている。
【００５８】
また、図示しないが、側壁部３２１には、照明ユニット１０の光源１１に給電するためのリード線が挿通される挿通孔が設けられている。リード線は、側壁部３２１に設けられた挿通孔と、第１筐体部３１に設けられた挿通孔３１３とに挿通されて、外部の電源回路と光源１１とを電気的に接続する。
【００５９】
鍔部３２２は、側壁部３２１の前方側の端部からｘｙ平面において外方に延設された部分である。鍔部３２２は、照明器具１を天井の取付穴に取り付けた場合に、天井板に当接する。具体的には、鍔部３２２と取付バネ５０とが天井板を挟むことで、照明器具１が取付穴に固定される。
【００６０】
本実施の形態では、光源１１の光出射方向、スピーカユニット２０の出音方向、第１筐体部３１の軸方向、及び、第２筐体部３２の軸方向は、略一致している。具体的には、スピーカユニット２０の出音方向は、コーン状の振動板２１の中心を通る仮想線であり、光軸Ｊに略一致する。第１筐体部３１の軸は、略円形の底部３１０の中心を通り、内側底面３１０ａに垂直な仮想線であり、光源１１の光軸Ｊに略一致する。第２筐体部３２の軸は、略円形の開口３２３の中心を通り、開口３２３に直交する仮想線であり、光軸Ｊに略一致する。
【００６１】
［接続部（放熱フィン）］
複数の接続部３３は、第１筐体部３１の外側面３１１ａと第２筐体部３２の内側面３２１ａとを接続する部分である。具体的には、複数の接続部３３の各々は、第１筐体部３１の軸方向（光軸Ｊ）に平行な板状の放熱フィンである。複数の接続部３３は、第１筐体部３１内に収納された光源１１が発する熱を、第１筐体部３１から第２筐体部３２に伝えることで外部に放散させる。また、複数の接続部３３は、第１筐体部３１を第２筐体部３２内に支持する。このように、複数の接続部３３は、光源１１からの放熱と光源１１（第１筐体部３１）の支持との両方の機能を実現する。
【００６２】
本実施の形態では、複数の接続部３３は、第２筐体部３２を軸方向に見た場合（具体的には、上面視又は下面視）に、放射状に配置されている。例えば、図８に示すように、１５枚の接続部３３が光軸Ｊを中心として等角度で放射状に配置されている。複数の接続部３３の各々は、第１筐体部３１と第２筐体部３２とを最短距離で接続している。なお、接続部３３の枚数は、複数であればよく、例えば、２枚でもよい。
【００６３】
複数の接続部３３は、互いに同じ形状及び同じ大きさを有する。具体的には、接続部３３は、光軸Ｊに平行な平板形状を有する。図５に示すように、接続部３３の厚さ方向に直交する断面形状（正面視形状）は、例えば台形である。
【００６４】
より具体的には、接続部３３は、下辺（下端）が光軸Ｊに対して直交であり、上辺（上端）が光軸Ｊに対して傾斜している。接続部３３の上辺は、第１筐体部３１から第２筐体部３２に近づくにつれて下方に（すなわち、スピーカユニット２０から離れる方向に）傾斜している。接続部３３の右辺（右端）と左辺（左端）とは、所定の長さ以上であり、光軸Ｊに略平行である。なお、ここでは、接続部３３の右辺は、第１筐体部３１の外側面３１１ａと接する部分であり、左辺は、第２筐体部３２の内側面３２１ａと接する部分である。例えば、接続部３３の左辺は、照明ユニット１０の高さと略同じ長さを有する。
【００６５】
なお、本実施の形態では、接続部３３が台形状の平板部である例について示したが、これに限らない。接続部３３は、長方形状又は正方形状の平板部でもよい。あるいは、接続部３３の上辺又は下辺は、曲線でもよい。
【００６６】
［孔部］
孔部３４は、照明ユニット１０（第１筐体部３１）の後方に位置するスピーカユニット２０からの音を通過させるために設けられている。すなわち、孔部３４は、音の通り道として機能する。孔部３４は、第２筐体部３２内における第１筐体部３１より後方側の空間と、第１筐体部３１より前方側の空間（外部空間）とを連通する貫通孔である。
【００６７】
孔部３４は、図６に示すように、上面視において、第１筐体部３１の外側面３１１ａと第２筐体部３２の内側面３２１ａとの間の略円環状の空間のうち、複数の接続部３３を除いた空間である。孔部３４は、複数の接続部３３によって複数の部分孔に分断されている。部分孔は、隣り合う２つの接続部３３の側面と外側面３１１ａと内側面３２１ａとによって囲まれた貫通孔である。
【００６８】
本実施の形態では、第２筐体部３２を軸方向に見た場合（上面視又は下面視）において、孔部３４の開口面積は、第２筐体部３２の開口３２３の開口面積の３０％以上である。孔部３４は、スピーカユニット２０からの音を通過させるために設けられているので、開口面積が大きい方が照明器具１の音質を高めることができる。したがって、例えば、孔部３４の開口面積は、開口３２３の開口面積の５０％でもよく、好ましくは、６０％以上でもよい。
【００６９】
［エンクロージャー部］
エンクロージャー部３５は、スピーカユニット２０を収納する筐体部である。エンクロージャー部３５は、スピーカユニット２０が第１筐体部３１の底部３１０に向けて音を出すように第２筐体部３２に固定されている。具体的には、エンクロージャー部３５は、ネジ６０によって第２筐体部３２に固定されている。
【００７０】
図８は、本実施の形態に係る照明器具１の部分分解斜視図であり、主にエンクロージャー部３５を分解して示している。エンクロージャー部３５は、図８に示すように、第１箱体３５１と、第２箱体３５２とを備える。第１箱体３５１は、扁平な略直方体状の箱体であり、上面が開放されている。第２箱体３５２は、扁平な略直方体状の箱体であり、下面が開放されている。
【００７１】
第１箱体３５１には、スピーカユニット２０からの音を出すための開口３５３が設けられている。開口３５３は、略円形の開口であり、その中心を光軸Ｊが通過する。スピーカユニット２０は、開口３５３を覆うように第１箱体３５１にネジ（図示せず）によって固定されている。
【００７２】
第１箱体３５１には、挿通孔３５４が設けられている。挿通孔３５４は、スピーカユニット２０に入力オーディオ信号などを供給するためのリード線（図示せず）が挿通される貫通孔である。当該リード線は、スピーカユニット２０の端子２６と、器具本体３０の外部に配置された制御回路（図示せず）とを接続する。
【００７３】
第１箱体３５１には、ネジ孔３５５が設けられている。ネジ孔３５５は、エンクロージャー部３５を第２筐体部３２に固定するためのネジ６０が挿通される貫通孔である。具体的には、図３に示すように、ネジ６０がネジ孔３５５に挿通されて、第２筐体部３２の上部に設けられたネジ穴（図示せず）にねじ込まれることで、第１箱体３５１（エンクロージャー部３５）と第２筐体部３２とが固定される。
【００７４】
また、第１箱体３５１には、ネジ穴３５６が設けられている。ネジ穴３５６は、スピーカユニット２０をエンクロージャー部３５（第１箱体３５１）に固定するためのネジ（図示せず）がねじ込まれる穴である。具体的には、スピーカユニット２０のネジ孔２５１にネジ（図示せず）が挿入されて、エンクロージャー部３５のネジ穴３５６にねじ込まれることで、スピーカユニット２０はエンクロージャー部３５に固定される。
【００７５】
第１箱体３５１と第２箱体３５２とは、ネジ３６によって固定されている。具体的には、図８に示すように、第１箱体３５１には４つのネジ穴３５７が設けられ、第２箱体３５２には４つのネジ孔３５８が設けられている。ネジ３６は、第２箱体３５２のネジ孔３５８に挿通されて、第１箱体３５１のネジ穴３５７にねじ込まれることで、第１箱体３５１と第２箱体３５２とが固定されて、内部に空間３５９が形成される。このように、第１箱体３５１と第２箱体３５２とが組み合わされて、スピーカユニット２０からの後方側の音を封じ込める空間３５９が形成される。
【００７６】
空間３５９の大きさ、すなわち、エンクロージャー部３５の容積は、スピーカユニット２０の出力に応じて定められる。エンクロージャー部３５の容積を変更することで、スピーカユニット２０から出力される音の音圧などが変化する。
【００７７】
図９は、本実施の形態に係る照明器具１のエンクロージャー部３５の容積と出力音圧レベル（ＳＰＬ；Ｓｏｕｎｄ  Ｐｒｅｓｓｕｒｅ  Ｌｅｖｅｌ）及びインピーダンスとの関係を示す図である。図９に示す実線及び破線のグラフはそれぞれ、容積が３１５ｃｃ及び１３５ｃｃの場合を示している。図９において、横軸は、スピーカユニット２０が出力する音の周波数を示し、左の縦軸及び右の縦軸はそれぞれ、出力音圧レベル及びインピーダンスを示している。
【００７８】
本実施の形態では、エンクロージャー部３５の容積を大きくすることで、低域の音圧レベルが上昇するとともに、低域の帯域が拡大する。具体的には、図９に示すように、５０Ｈｚ〜１００Ｈｚの範囲において出力音圧レベルが約３ｄＢ上昇した。また、最低共振周波数ｆ０は、約１６５Ｈｚから約１４０Ｈｚに減少した。
【００７９】
本実施の形態では、エンクロージャー部３５の容積は、２５０ｃｃ以上であるが、これに限定されない。エンクロージャー部３５の容積は、例えば、３５０ｃｃ以上でもよい。
【００８０】
エンクロージャー部３５は、第２筐体部３２の軸方向に見た場合（具体的には、下面視）に、第２筐体部３２の側方に張り出している。本実施の形態では、図２に示すように、エンクロージャー部３５は、一方向（具体的にはｙ軸方向の正側）のみに張り出している。これにより、照明器具１を天井などに取り付ける際に、エンクロージャー部３５の先端（ｙ軸方向の正側）から取付穴に通すことで、照明器具１を取付穴に挿入することができる。
【００８１】
エンクロージャー部３５は、金属材料又は樹脂材料を用いて形成されている。具体的には、第１箱体３５１及び第２箱体３５２の各々がアルミダイカスト製である。あるいは、第１箱体３５１及び第２箱体３５２の各々が、ＰＢＴなどの樹脂材料を用いた射出成形によって形成されていてもよい。
【００８２】
なお、エンクロージャー部３５は、下面視において、第２筐体部３２の側方の二以上の方向に張り出していてもよい。
【００８３】
［メッシュ部材］
メッシュ部材４０は、孔部３４の下端を覆うように設けられた円環状のメッシュカバーである。メッシュ部材４０は、複数の接続部３３の下端側に設けられている。メッシュ部材４０は、外部から孔部３４を介してスピーカユニット２０と第１筐体部３１との間の空間に、埃などの異物が侵入するのを抑制するために設けられている。メッシュ部材４０は、複数の細孔が二次元上に配置されており、スピーカユニット２０から発せられて孔部３４を通過する音を通過させる。
【００８４】
メッシュ部材４０は、例えば、金属材料、樹脂材料又は繊維材料などから形成されている。
【００８５】
［取付バネ］
取付バネ５０は、照明器具１を天井などの取付穴に取り付けるために用いられる。具体的には、取付バネ５０の復元力を利用して、取付バネ５０と器具本体３０の鍔部３２２とで天井板を挟持することで、照明器具１を取り付けることができる。
【００８６】
取付バネ５０は、鉄などの金属材料を用いてプレス加工などによって長尺状の細板形状に成形されている。本実施の形態では、図１に示すように、照明器具１は、３つの取付バネ５０を備えるが、取付バネ５０の個数及び位置はこれに限定されない。
【００８７】
［効果など］
以上のように、本実施の形態に係る照明器具１は、光源１１と、光源１１の光出射方向とは反対側に配置されたスピーカユニット２０と、光源１１及びスピーカユニット２０を収納する器具本体３０とを備える。器具本体３０は、光源１１を内部に支持する有底筒状の第１筐体部３１と、第１筐体部３１を内部に収納する筒状の第２筐体部３２と、スピーカユニット２０を収納するエンクロージャー部３５とを有する。エンクロージャー部３５は、第２筐体部３２の軸方向に見た場合に、第２筐体部３２の側方に張り出している。
【００８８】
図９で示したように、エンクロージャー部３５の容積を大きくすることで、照明器具１の音質を高めることができる。例えば、エンクロージャー部３５の容積を増やすためには、光軸Ｊに沿った方向（具体的には、ｚ軸方向の正側）にエンクロージャー部３５を延ばすことも考えられる。しかしながら、この場合、照明器具１の高さ（ｚ軸方向の長さ）が大きくなり、天井などの取付穴に取り付けることが難しく、又は、できなくなる。
【００８９】
これに対して、本実施の形態では、エンクロージャー部３５が側方に張り出しているので、照明器具１の高さを増やすことなく、エンクロージャー部３５の容積を大きくすることができる。したがって、照明器具１の高さを増やすことなく、照明器具１の音質を高めることができる。
【００９０】
また、例えば、エンクロージャー部３５は、第２筐体部３２の軸方向に見た場合に、第２筐体部３２の側方の一方向のみに張り出している。
【００９１】
これにより、エンクロージャー部３５が一方向のみに張り出しているので、天井などの取付穴に照明器具１を挿入する際に、エンクロージャー部３５の先端から挿入することができる。したがって、照明器具１の取り付けが容易になる。
【００９２】
また、例えば、エンクロージャー部３５は、スピーカユニット２０が第１筐体部３１の底部３１０に向けて音を出すように第２筐体部３２に固定されている。
【００９３】
このように、スピーカユニット２０の前方に第１筐体部３１が設けられている場合には、スピーカユニット２０からの音が第１筐体部３１に遮られて、照明器具１の音質が悪くなる恐れがある。したがって、本実施の形態に係る照明器具１のように、エンクロージャー部３５を側方に張り出させることで、エンクロージャー部３５の容積を大きくすることができ、音質を高めることができる。
【００９４】
また、例えば、エンクロージャー部３５の容積は、２５０ｃｃ以上である。
【００９５】
これにより、エンクロージャー部３５の容積が２５０ｃｃ以上であるので、例えば、一般的なダウンライトのサイズに使用可能なスピーカユニット２０のサイズに応じて十分な容積を確保することができる。したがって、照明器具１の音質を高めることができる。
【００９６】
また、例えば、エンクロージャー部３５は、金属材料又は樹脂材料を用いて形成されている。
【００９７】
これにより、例えば、エンクロージャー部３５が樹脂材料を用いて形成した場合には、照明器具１を軽量化することができる。また、例えば、金属材料を用いてエンクロージャー部３５が金属材料を用いて形成されている場合には、照明器具１の音質を高めることができる。
【００９８】
また、例えば、光源１１の光出射方向、スピーカユニット２０の出音方向、第１筐体部３１の軸方向、及び、第２筐体部３２の軸方向は、略一致している。
【００９９】
これにより、光源１１、スピーカユニット２０、第１筐体部３１及び第２筐体部３２の各々の軸が、光軸Ｊとして略一致するので、異方性なく周囲を均等に照明し、均等に音を出力することができる。
【０１００】
また、例えば、照明器具１は、天井埋込み型照明器具である。
【０１０１】
これにより、例えば、照明器具１は、スピーカ機能を有するダウンライトとして天井などに設置することができる。したがって、スピーカと照明器具とを個々に設置する場合に比べて、設置作業が容易になるだけでなく、天井に設けられる穴の個数も減らすことができ、天井のデザイン性を高めることができる。
【０１０２】
（その他）
以上、本発明に係る照明器具について、実施の形態及びその変形例に基づいて説明したが、本発明は、上記の実施の形態に限定されるものではない。
【０１０３】
例えば、上記の実施の形態では、底部３１０には放熱フィンが設けられていない例について示したが、これに限らない。例えば、照明器具１の高さが制限されない場合には、底部３１０に１以上の放熱フィンが設けられていてもよい。
【０１０４】
また、例えば、上記の実施の形態では、底部３１０がスピーカユニット２０に向かって凸である例について示したが、これに限らない。底部３１０の外側底面３１０ｂは、光軸Ｊに対して直交する平面であってもよい。また、ネジ孔３１２及び挿通孔３１３などのように、部分的に凹部又は貫通孔が設けられていてもよい。
【０１０５】
また、例えば、上記の実施の形態では、エンクロージャー部３５が下面視において側方に張り出している例について示したが、これに限らない。例えば、照明器具１の高さが制限されない場合には、エンクロージャー部３５は、側方に張り出さずに上方に延びていてもよい。
【０１０６】
また、例えば、上記の実施の形態では、光源１１がＬＥＤ１１１を備える例について示したが、これに限らない。光源１１は、有機ＥＬ（Ｅｌｅｃｔｒｏ  Ｌｕｍｉｎｅｓｃｅｎｃｅ）素子又はレーザ素子などを備えてもよい。
【０１０７】
また、例えば、上記の実施の形態では、照明器具１がダウンライトなどの天井埋込み型照明器具である例について示したが、これに限らない。例えば、照明器具１は、シーリングライト、スポットライト、フロアライトなどでもよい。
【０１０８】
なお、上記の実施の形態に係る照明器具１は、無線通信を行う通信部を備えてもよい。例えば、照明器具１は、Ｂｌｕｅｔｏｏｔｈ（登録商標）、Ｗｉ−Ｆｉ（登録商標）、ＺｉｇＢｅｅ（登録商標）などの無線通信によって、スマートフォン、専用端末などの携帯端末と通信を行う。これにより、照明器具１は、例えば、無線通信を介してスマートフォンから照明制御又は音響制御の信号を受信し、受信した信号に基づいて照明又は出音することができる。
【０１０９】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１１０】
１  照明器具
１１  光源
２０  スピーカユニット
３０  器具本体
３１  第１筐体部
３２  第２筐体部
３５  エンクロージャー部
３１０  底部
【図１】
0006646825.tif 000002
【図２】
0006646825.tif 000003
【図３】
0006646825.tif 000004
【図４】
0006646825.tif 000005
【図５】
0006646825.tif 000006
【図６】
0006646825.tif 000007
【図７】
0006646825.tif 000008
【図８】
0006646825.tif 000009
【図９】
0006646825.tif 000010